(57)【要約】【課題】  開けたキャップを手で持たなくても、容器本体にキャップ本体が保持される状態とする。【解決手段】  容器本体２１の注出口に取り付けられている捩じ切りキャップ付き容器１０において、キャップ本体１１と基材部１３との間には連結部１５が形成され、この連結部１５は、基材部１３とキャップ本体１１とに、各々捩じ切り部１７で捩じ切り可能に連結されている。【選択図】  図１
2005041566.tif 000002
【特許請求の範囲】
【請求項１】
キャップ本体と基材部との間を捩じ切り部で捩じ切り可能に連結された状態で、容器本体の注出口に取り付けられている捩じ切りキャップ付き容器において、
上記キャップ本体と基材部との間には連結部が形成され、この連結部は、基材部とキャップ本体とに、各々捩じ切り部で捩じ切り可能に連結されていることを特徴とする捩じ切りキャップ付き容器。
【請求項２】
上記容器本体の注出口の基端側に鍔部が設けられ、上記連結部は、捩じ切りキャップの外周を略一周する状態に形成されていることを特徴とする。
請求項１記載の捩じ切りキャップ付き容器。
【発明の詳細な説明】
【発明の詳細な説明】
【技術分野】
【０００１】  本発明は、飲料水などを充填するプラスチック製の捩じ切りキャップ付き容器に関するものである。
【背景技術】
【０００２】  従来、飲料水を充填するＰＥＴボトル等に代表されるプラスチック製の捩じ切りキャップ付き容器としては、特許文献１のようなものが存在する。また、このような容器としては、一般的に下記のようなものが挙げられる。【０００３】  この容器は、一端が注出口として開口され、この注出口外周に雄ねじが形成された本体と、この雄ねじと着脱可能な雄ねじを備えたキャップ本体と、注出口から抜け落ちない状態で上記本体への取り付けが可能な基材部と、この基材部と上記雄ねじとを連結している捩じ切り部とを備えている。
【特許文献１】        特開２００１−０９７３８９号公報
【発明が解決しようとする課題】
【０００４】  容器内の液体を飲用するとき、まず、最初にキャップ本体を開き回して基材部からキャップ本体を捩じ切り、その後、キャップ本体を手で持つか、適当な置き場所に置く事が通常行われている。しかしながら、屋外に居る時や自動車に乗車している時等にキャップ本体を外すと、適当な置き場所が近くに存在しないことが多く、キャップ本体を手で保持した状態で飲用を行う必要があり、片手が塞がれる等の不都合が生じた。
【０００５】  本発明は、上記のような問題点を解決するためになされたものであり、開けたキャップ本体を手でもたなくても、容器本体にキャップ本体が保持される捩じ切りキャップ付き容器を提供することを目的としている。
【課題を解決するための手段】
【０００６】  本発明は、キャップ本体と基材部との間を捩じ切り部で捩じ切り可能に連結された状態で、容器本体の注出口に取り付けられている捩じ切りキャップ付き容器において、上記キャップ本体と基材部との間には連結部が形成され、この連結部は、基材部とキャップ本体とに、各々捩じ切り部で捩じ切り可能に連結されているものである。
【０００７】  この捩じ切りキャップ付き容器においては、キャップ本体と基材部との間には、連結部が形成され、この連結部は、基材部とキャップ本体とに、各々捩じ切り部で捩じ切り可能に連結されているため、キャップ本体を捩じ切った場合であっても、前記キャップ本体と前記基材部とは前記連結部で連結されている。したがって、捩じ切ったキャップ本体についても、連結部及び基材部を介して容器本体と繋がった状態となっており、開けたキャップを手で保持しなくても、キャップ本体は容器本体周辺に保持される。さらに、容器本体に繋がっているため、キャップ本体を誤って紛失することもない。
【０００８】  請求項２の発明は、上記容器本体の注出口の基端側に鍔部が設けられ、上記連結部は、捩じ切りキャップの外周を略一周する状態に形成されたものである。
【０００９】  この構成によれば、注出口から外したキャップ本体を上記鍔部に保持させるために必要な連結部の長さを保持できる。なお、上記連結部の長さを確保する点では、捩じ切りキャップの外周を一周以上する状態に設けられても特に問題はない。もっとも、この構成では、キャップ本体と基材部との間に上記連結部同士が重なり合う部分が存在することになり、この部分についても捩じ切り部で連結する必要がある。したがって、キャップ本体を捩じ切る時、上記連結部同士を連結した捩じ切り部についても捩じ切る必要がある。これに対し、上記連結部の長さを略一周にすると、キャップ本体を捩じ切る時、上記連結部同士が重なり合う部分は存在せず、捩じ切り部を切断しやすくなる点ではより好適である。
【発明を実施するための最良の形態】
【００１０】  第一実施形態（図１〜図４参照）
図１は、捩じ切りキャップ１０が容器本体２１に取り付けられている図である。捩じ切りキャップ１０は、キャップ本体１１と、基材部１３と、連結部１５とを備えている。また、図２に示すように、容器本体２１は、その一端が開口した注出口Ｇとなっており、その注出口Ｇの外周には、その開口部分の先端側から基端側へ向けて順に（図２においては上側から順に）、雄ねじ部２３、阻止部２７、鍔部２５が備えられている。【００１１】  なお、捩じ切りキャップ１０及び、容器本体２１に使用する素材としては、ＰＥＴ等のプラスチックを用いるが、特にＰＥＴに限定する必要はなく、ポリエチレン、ポリプロピレン等、多種多様のプラスチックを用いることが可能である。【００１２】  キャップ本体１１と基材部１３とは、連結部１５を介して連結されており、キャップ本体１１並びに連結部１５及び、基材部１３並びに連結部１５は、各々捩じ切り部１７で連結されている。【００１３】  キャップ本体１１の内周には雄ねじ部１９が形成されており、この雄ねじ部１９は上記注出口Ｇの雄ねじ部２３と螺合している。【００１４】  基材部１３は、上記雄ねじ部２３より基端側で容器本体２１に外嵌する内周を有し、この内周から突出する係止片１３ａを備えている。この係止片１３ａは、阻止部２７と係止することにより基材部１３が開口方向（図２においては上方向）に移動することを阻止される。【００１５】  連結部１５は、図１に示すように、捩じ切りキャップ１０の外周を螺旋状に略一周分を巻く状態で形成され、その両端でキャップ本体１１及び、基材部１３に一体的に連結されている。【００１６】  捩じ切り部１７は、キャップ本体１１と連結部１５及び、基材部１３と連結部１５間をそれぞれ間欠的に連結する状態に一体形成されている。【００１７】  キャップ本体１１を最初に開き方向にねじ回すと、まず、捩じ切り部１７が切断され、次に、雄ねじ部１９と雄ねじ部１３との螺合が外れながらキャップ本体１１が開き方向（図１、図２においては上方向）に相対移動し、その後、容器本体２１の注出口Ｇからキャップ本体１１が外れるようになっている。なお、この時、基材部１３は、係止片１３ａにより開口方向への移動が阻止されているため、図３に示すとおり、雄ねじ部２３より基端側で容器本体２１に外嵌された状態でのこる。【００１８】  そして、キャップ本体１１を捩じ切った状態では、キャップ本体１１は、連結部１５を介して基材部１３と連結された状態になっている。【００１９】  その後、図４に示すように、キャップ本体１１を鍔部２５に引っかけることにより、連結部１５のたわみ力でキャップ本体１１が鍔部２５で保持されるようになる。【００２０】  このような捩じ切りキャップ１０を用いると、キャップ本体１１と基材部１３との間に連結部１５が形成され、この連結部１５は、基材部１３とキャップ本体１１とに、各々捩じ切り部１７で捩じ切り可能に連結されているため、キャップ本体１１を捩じ切った場合であっても、キャップ本体１１と基材部１３とは連結部１５で連結されている。したがって、捩じ切ったキャップ本体１１についても、連結部１５及び、基材部１３を介して容器本体２１と繋がった状態となっており、外れたキャップ本体１１を���で保持しなくても、キャップ本体１１は、容器本体２１の周辺に保持される。【００２１】  さらに、容器本体に繋がっているため、キャップ本体１１を誤って紛失する可能性も無くなる。またさらに、キャップ本体１１を地面等に置く必要もなくなるため、より衛生的に使用することも可能となる。それにリサイクル等でも、回収率が上がるため、再利用に貢献する。【００２２】  また、連結部１５は、キャップ本体１１に略一周する状態に形成されているため、注出口Ｇから外したキャップ本体１１を鍔部２５に保持させるために必要な連結部１５の長さを確保できる。【００２３】  なお、連結部１５は、キャップ本体１１及び、基材部１３から突出させたり、キャップ本体１１及び、基材部１３から下方に延出させるような形状に形成することもかんがえられる。ただし、本実施形態のように連結部１５を基材部１３とキャップ本体との間に形成し、この連結部１５をキャップ本体１１および、基材部１３から突出したり延出したりしないように成形すると、成形作業の際に使用する金型の形状が複雑になることを避けることが出来、製造時のコストを下げることが出来る。また、この金型を用いると、既存の金型を少々改良するのみで製作することが可能であるため、金型製造時のコストを下げることが出来る。したがって、キャップ製造時のコストを下げることができる。
第二実施形態（図５参照）
以下の実施形態において、第１実施形態と同一部分には同一符号を付して示し、その重複説明を省略する。【００２４】  本実施形態は、連結部１５の長さを、捩じ切りキャップ１０の外周を螺旋状に一周以上巻く状態で形成されたものである。この構成では、キャップ本体１１と基材部１３との間に連結部１５同士が重なり合う部分が存在することになる。そして、この部分についても、捩じ切り部１７ａで連結されている。【００２５】  このような構成を採っても、第一実施形態と同様の効果を得ることが可能である。しかしながら、この構成では、キャップ本体１１を捩じ切る時、捩じ切る部１７のみならず捩じ切り部１７ａについても捩じ切る必要がある。したがって、キャップ本体１１の捩じ切り易さを考慮すると、連結部１５のながさは、略一周に形成されているほうがよりこのましい。【００２６】  なお、連結部１５の長さは略一周以下にしてもよい。たとえば、略半周にしたり、四分の一周にしてもよい。しかしながら、鍔部２５にキャップ本体１１を保持させるために必要な長さを確保する点を考慮すると、連結部１５のながさは、略一周に形成されているほうがよりこのましい。
【発明の効果】
【００２７】  以上のように本発明の捩じ切りキャップ付きようきは、キャップ本体と基材部との間に連結部がけいせいされ、この連結部は基材部とキャップ本体とに、各々捩じ切り部で捩じ切り可能に連結されているため、キャップ本体を捩じ切った場合であっても、前記キャップを手で保持しなくても、キャップ本体は容器本体周辺に保持することが可能になる。さらには、キャップ本体を誤って紛失することもなくなる。
【図面の簡単な説明】
【図１】  本発明の第一実施形態にかかる捩じ切りキャップ付き容器を示した正面図。
【図２】  本発明の第一実施形態にかかる捩じ切りキャップ付き容器を示した断面図。
【図３】  本発明の第一実施形態にかかる捩じ切りキャップ付き容器を示した斜視図。
【図４】  本発明の第一実施形態にかかる捩じ切りキャップ付き容器を示した斜視図。
【図５】  本発明の第二実施形態にかかる捩じ切りキャップ付き容器を示した正面図。
【符号の説明】
１０  捩じ切りキャップ
１１  キャップ本体
１３  基材部
１５  連結部
１７  捩じ切り部
２１  容器本体
２５  鍔部
Ｇ    注出口
【図１】
2005041566.tif 000003
【図２】
2005041566.tif 000004
【図３】
2005041566.tif 000005
【図４】
2005041566.tif 000006
【図５】
2005041566.tif 000007